(57)【特許請求の範囲】
【請求項１】
利用者身体情報を取得する利用者身体情報取得装置と、
前記利用者身体情報取得装置と送信可能で、前記利用者身体情報取得装置から取得した前記利用者身体情報を管理する利用者身体情報管理装置と、を備える利用者身体情報管理システムであって、
前記利用者身体情報取得装置が取得する前記利用者身体情報は、取得時間情報と関連付けられた、時間情報付き利用者身体情報として、前記利用者身体情報取得装置に記憶され、
前記時間情報付き利用者身体情報は、前記利用者身体情報管理装置の送信要求情報に応じて、前記利用者身体情報管理装置に送信され、前記利用者身体情報管理装置に記憶される構成となっており、
前記利用者身体情報管理装置が前記送信要求情報を前記利用者身体情報取得装置に送信するとき、前記利用者身体情報管理装置が記憶している前記時間情報付き利用者身体情報の前記取得時間情報を参照して，最新の前記取得時間情報である最新取得時間情報を前記送信要求情報と共に送信し、
前記最新取得時間情報を伴う前記送信要求情報を受信した、前記利用者身体情報取得装置は、前記最新取得時間情報に対応する前記時間情報付き利用者身体情報の有無を判断し、前記時間情報付き利用者身体情報を有していると判断したときは、前記最新取得時間情報を基準として未来の前記取得時間情報と関連付けられている前記時間情報付き利用者身体情報を選択して、前記利用者身体情報管理装置に送信し、前記最新取得時間情報に対応する前記時間情報付き利用者身体情報を有していないと判断したときは、不可情報を前記利用者身体情報管理装置に送信し、
前記利用者身体情報管理装置は、前記不可情報を受信したとき、前記利用者身体情報取得装置に、その有する全ての前記時間情報付き利用者身体情報を要求する全情報送信要求情報を送信し、前記利用者身体情報管理装置は、全ての前記時間情報付き利用者身体情報を受信した後、前記最新取得時間情報を基準に、受信した全ての前記時間情報付き利用者身体情報のうち、過去の前記取得時間情報と関連付けられている前記時間情報付き利用者身体情報を削除し、残りの前記時間情報付き利用者身体情報のみを記憶する構成となっていることを特徴とする利用者身体情報管理システム。
【発明の詳細な説明】
【技術分野】
【０００１】
本発明は、例えば、婦人の基礎体温等の利用者身体情報を管理する利用者身体情報管理システム及び利用者身体情報管理方法に関するものである。
【背景技術】
【０００２】
従来より、婦人が生理日や排卵日等を管理することができる婦人体温計が提案されている（例えば、特許文献１）。このような婦人体温計で計測した体温等のデータは、利用者が管理し易いように、別の管理装置等に送信等されて管理することが提案されている。
【先行技術文献】
【特許文献】
【０００３】
【特許文献１】特開２０００―８８６６１公報
【発明の概要】
【発明が解決しようとする課題】
【０００４】
しかし、婦人体温計で管理する体温データ等が増加すると、婦人体温計と管理装置との間の通信量が増加するという問題があった。このような通信量を増加抑制するためには、婦人体温計等の利用者身体情報取得装置及び／又は管理装置が複雑な処理を伴うプログラム等を備える必要があり、特に、利用者身体情報取得装置側にかかる複雑な構成を求めることはコスト増を招くという問題もあった。
【０００５】
そこで、本発明は、利用者身体情報取得装置側に大きな負担をかけることなく、利用者身体情報取得装置と管理装置間の通信量の増加を抑制することができる利用者情報管理システムを提供することを目的とする。
【課題を解決するための手段】
【０００６】
上記目的は、本発明にあっては、利用者身体情報を取得する利用者身体情報取得装置と、前記利用者身体情報取得装置と送信可能で、前記利用者身体情報取得装置から取得した前記利用者身体情報を管理する利用者身体情報管理装置と、を備える利用者身体情報管理システムであって、前記利用者身体情報取得装置が取得する前記利用者身体情報は、取得時間情報と関連付けられた、時間情報付き利用者身体情報として、前記利用者身体情報取得装置に記憶され、前記時間情報付き利用者身体情報は、前記利用者身体情報管理装置の送信要求情報に応じて、前記利用者身体情報管理装置に送信され、前記利用者身体情報管理装置に記憶される構成となっており、前記利用者身体情報管理装置が前記送信要求情報を前記利用者身体情報取得装置に送信するとき、前記利用者身体情報管理装置が記憶している前記時間情報付き利用者身体情報の前記取得時間情報を参照して，最新の前記取得時間情報である最新取得時間情報を前記送信要求情報と共に送信し、前記最新取得時間情報を伴う前記送信要求情報を受信した、前記利用者身体情報取得装置は、前記最新取得時間情報に対応する前記時間情報付き利用者身体情報の有無を判断し、前記時間情報付き利用者身体情報を有していると判断したときは、前記最新取得時間情報を基準として未来の前記取得時間情報と関連付けられている前記時間情報付き利用者身体情報を選択して、前記利用者身体情報管理装置に送信し、前記最新取得時間情報に対応する前記時間情報付き利用者身体情報を有していないと判断したときは、不可情報を前記利用者身体情報管理装置に送信し、前記利用者身体情報管理装置は、前記不可情報を受信したとき、前記利用者身体情報取得装置に、その有する全ての前記時間情報付き利用者身体情報を要求する全情報送信要求情報を送信し、前記利用者身体情報管理装置は、全ての前記時間情報付き利用者身体情報を受信した後、前記最新取得時間情報を基準に、受信した全ての前記時間情報付き利用者身体情報のうち、過去の前記取得時間情報と関連付けられている前記時間情報付き利用者身体情報を削除し、残りの前記時間情報付き利用者身体情報のみを記憶する構成となっていることを特徴とする利用者身体情報管理システムにより達成される。
【０００７】
前記構成によれば、利用者身体情報取得装置は、利用者身体情報管理装置から受信した最新取得時間情報を基準として未来の取得時間情報と関連付けられている時間情報付き利用者身体情報を選択し、これらの情報に限定して、利用者身体情報管理装置に送信するので、利用者身体情報取得装置と利用者身体情報管理装置との間の通信量を低減させることができる。
また、利用者身体情報管理装置から受信した最新取得時間情報に基づいて、利用者身体情報取得装置は、利用者身体情報管理装置へ送信するデータを簡易に定めることができ、利用者身体情報取得装置が利用者身体情報管理装置へ送信するデータを自ら判断する必要がない。したがって、利用者身体情報取得装置に複雑な構成を求める必要がなく、コスト増を招くことを未然に防止することができる。
【０００９】
前記構成によれば、利用者身体情報取得装置は、利用者身体情報管理装置から受信した最新取得時間情報に対応する時間情報付き利用者身体情報を有していない場合は、それ以上、更に処理等をすることなく、単に不可情報のみを利用者身体情報管理装置に送信する構成となっている。このため、利用者身体情報取得装置に複雑な構成を求める必要がなく、システム全体のコスト増を招くことを未然に防止することができる。
【００１１】
前記構成によれば、利用者身体情報管理装置は、全ての時間情報付き利用者身体情報を受信した後、最新取得時間情報を基準に、受信した全ての時間情報付き利用者身体情報のうち、過去の取得時間情報と関連付けられている時間情報付き利用者身体情報を削除し、残りの時間情報付き利用者身体情報のみを記憶する構成となっている。
したがって、複雑な処理は、利用者身体情報管理装置が実行するので、利用者身体情報取得装置に複雑な処理を求めることがなく、利用者身体情報取得装置を簡易な構成とすることができる。このためシステム全体のコスト増を回避することができる。
【発明の効果】
【００１６】
以上説明したように、本発明によれば、利用者身体情報取得装置側に大きな負担をかけることなく、利用者身体情報取得装置と管理装置間の通信量の増加を抑制することができる利用者情報管理システムを提供することができる。
【図面の簡単な説明】
【００１７】
【図１】本発明の体温管理システムである例えば、婦人体温管理システムを示す概略図である。
【図２】図１の婦人体温計の主な構成を示す概略ブロック図である。
【図３】図１の管理装置の主な構成を示す概略ブロック図である。
【図４】図３の各種処理部（プログラム）記憶部の内容を示す概略ブロック図である。
【図５】図５乃至図９は、本発明の実施の形態にかかる婦人体温管理システムの主な動作等を示す概略フローチャートである。
【図６】図５乃至図９は、本発明の実施の形態にかかる婦人体温管理システムの主な動作等を示す概略フローチャートである。
【図７】本発明の実施の形態にかかる婦人体温管理システムの主な動作等を示す概略フローチャートである。
【図８】本発明の実施の形態にかかる婦人体温管理システムの主な動作等を示す他の概略フローチャートである。
【図９】本発明の実施の形態にかかる婦人体温管理システムの主な動作等を示す他の概略フローチャートである。
【図１０】基礎体温等表示画面を示す概略図である。
【図１１】キャラクタ及びコメントデータを示す概略説明図である。
【図１２】３周期分のデータを示す概略説明図である。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の利用者身体情報管理システムである例えば、婦人体温管理システム１を示す概略図である。
図１に示すように、婦人体温管理システム１は、利用者身体情報取得装置である例えば、婦人体温計１０とコンピュータ等からなる利用者身体情報管理装置である例えば、管理装置４０とを有し、婦人体温計１０と管理装置４０とは相互に通信可能な構成となっている。
また、婦人体温計１０は、例えば、利用者が口腔内に挿入して体温を計測する構成となっており、具体的には、図１の婦人体温計１０の測温部１１で、利用者身体情報である例えば、体温データを計測する構成となっている。
【００２０】
そして、計測された体温は、図１の体温計側ディスプレイ１２に表示される共に、婦人体温計１０内に記憶される構成ともなっている。
また、婦人体温計１０は、図１に示すように、例えば、複数のボタン等からなる体調情報入力装置である例えば、体温計側入力装置１３を有し、利用者は、この体温計側入力装置１３を用いて、体調情報である例えば、生理初日データ等を婦人体温計１０に入力し、婦人体温計１０内に記憶させることができる構成ともなっている。
【００２１】
また、上述のように婦人体温計１０に記憶されている体温データ及び生理初日データ等の体調データは、図１の管理装置４０に送信される構成となっている。
このため、管理装置４０で、かかる体温データや体調データを管理可能な構成となっている。
【００２２】
図１に示す、婦人体温計１０及び管理装置４０は、それぞれ、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、バスを介して接続されている。
【００２３】
図２は、図１の婦人体温計１０の主な構成を示す概略ブロック図である。
図２に示すように、婦人体温計１０は、体温計側制御部１４を有し、体温計側制御部１４は、上述の測温部１１を備える体温計側装置本体１５、上述の体温計側ディスプレイ１２及び体温計側入力装置１３を制御すると共に、婦人体温計１０が管理装置４０と通信するための体温計側通信装置１６や時刻情報を生成する体温計側計時装置１７をも制御している。
また、婦人体温計１０は、測温部１１が測定した利用者の体温データや体温計側入力装置１３で利用者が入力した生理初日等の体調データを記憶する体温計側各種データ記憶部１８を有すると共に、この体温計側各種データ記憶部１８は、体温計側制御部１４で制御されている。
【００２４】
なお、図２の体温計側通信装置１６は、体温計側各種データ記憶部１８に記憶されている利用者の体温情報や生理初日等の体調データを図１の管理装置４０に送信する構成となっている。
また、図２に示すように婦人体温計１０は、図２に示すように、各種の処理部（プログラム）を制御するが、これら各種の処理部（プログラム）については後述する。
【００２５】
図３は、図１の管理装置４０の主な構成を示す概略ブロック図である。
図３に示すように、管理装置４０は、管理装置側制御部４３を有し、管理装置側制御部４３は、表示部である例えば、管理装置側ディスプレイ４１や管理装置側入力装置４２を制御すると共に、管理装置４０が婦人体温計１０と通信するための管理装置側通信装置４４や時刻情報を生成する管理装置側計時装置４５をも制御している。
【００２６】
また、図３に示すように管理装置４０は、各種処理部（プログラム）記憶部５０や各種記憶部を制御するが、これら各種処理部（プログラム）記憶部５０や各種記憶部については後述する。なお、図４は、図３の各種処理部（プログラム）記憶部５０の内容を示す概略ブロック図である。
【００２７】
図５乃至図９は、本発明の実施の形態にかかる婦人体温管理システム１の主な動作等を示す概略フローチャートである。以下、本実施の形態を図５等のフローチャートに沿って説明すると共に、図１乃至図４の構成についても説明する。
【００２８】
先ず、本実施の形態の婦人体温管理システム１を利用する利用者は、予め、自己のＰＣ（コンピュータ）等である管理装置４０に本実施の形態の体温管理システム１の所定のアプリケーションプログラムをダウンロードし、使用可能な状態とする。
そして、利用者が管理装置４０の電源等をＯＮ状態にすると、図５のＳＴ１で、図１の管理装置４０がインストールされた体温管理システム１のアプリケーションプログラムが初めて起動したか否かを判断する。
具体的には、図４のアクセス履歴判断処理部（プログラム）５１が動作して判断する。
【００２９】
そして、ＳＴ１で初めて起動したと判断された場合は、ＳＴ２へ進む。ＳＴ２では、図１の管理装置４０の管理装置側ディスプレイ４１に、図１０に示す、基礎体温等表示画面が表示される。
図１０は、基礎体温等表示画面を示す概略図である。この基礎体温等表示画面は、図３の基礎体温等表示画面及び入力情報記憶部４６に記憶されており、基礎体温等表示画面には、図１０に示すように、利用者の毎日の基礎体温等の体温情報や生理初日等の有無、発熱の有無、生理痛の有無等の体調情報も表示される構成となっている。
したがって、基礎体温等表示画面及び入力情報記憶部４６は、体温体調情報記憶部の一例となっている。
【００３０】
また、基礎体温等表示画面には、図１０に示すように、その上部にコメント情報である例えば、コメント及びイラスト情報である例えば、イラストが併せて表示可能な構成となっている。これらコメントやイラストは、変更可能な構成となっている。
具体的には、図１１に示すキャラクタ及びコメントデータ４７ａが、図３のキャラクタ及びコメントデータ記憶部４７に記憶されている。
図１１は、キャラクタ及びコメントデータ４７ａを示す概略説明図である。
すなわち、イラストで表示されるキャラクタ及びコメントが、それぞれの表示条件に対応して記憶されている。
この表示条件が体調変化区分情報及び体調変化区分時間情報の一例であり、キャラクタ及びコメントデータ記憶部４７が、体調変化関連情報記憶部の一例となっている。
【００３１】
ＳＴ２では、図４のキャラクタ及びコメント選択処理部（プログラム）５２が動作し、図３のキャラクタ及びコメントデータ記憶部４７を参照し、図１１の表示条件のうち「初めてアプリを起動したとき」を選択して、コメント「初めまして！一緒に基礎体温の測定をはじめましょう！」及び対応するＡパターンのイラストを、図１０の基礎体温等表示画面に表示する。
【００３２】
一方、ＳＴ１で、管理装置１０のアプリを初めて起動する場合でない場合は、ＳＴ３へ進む。ＳＴ３では、前回のデータ入力と今回のデータ入力との間に１０日以上経過したか否かが判断される。具体的には、図４のアクセス履歴判断処理部（プログラム）５１が判断する。
【００３３】
ＳＴ３で、１０日以上データ入力がなかったと判断された場合は、ＳＴ４へ進む。ＳＴ４では、管理装置４０の管理装置側ディスプレイ４１に図１０に示す基礎体温等表示画面を表示すると共に、図４のキャラクタ及びコメント選択処理部（プログラム）５２が動作する。
そして、図１１のキャラクタ及びコメントデータ４７ａを参照して、表示条件「１０日以上入力がなかったとき」に対応するコメント「久しぶり！また一緒に測定をしましょうね！」を基礎体温等表示画面に表示すると共に、対応するキャラクタ番号２のイラスト「Ｂパターン」も表示する。
【００３４】
ここで、管理装置４０は、管理装置側ディスプレイ４１に表示する図１０の基礎体温等表示画面に表示する利用者身体情報である例えば、体温データ、生理初日等の体調データ等を図１の婦人体温計１０から取得する。
ところで、管理装置４０は、婦人体温計１０から送信され、入力された利用者の体温データや体調データ（メモ）を図３の基礎体温等表示画面及び入力情報記憶部４６に記憶するが、その際に、各体温データ等の入力元情報である例えば、婦人体温計１０の識別データや当該体温データ等を婦人体温計１０が取得した取得時間情報、例えば、検温時間と関連付けられた時間情報付き利用者身体情報である例えば、時間情報付き体温等データして記憶される。
【００３５】
すなわち、婦人体温計１０では、図１の測温部１１で利用者が体温を測定したとき，当該体温データは、検温時間と関連付けられ、時間情報付き利用者身体情報である例えば、検温時間付き体温データとして、図２の体温計側各種データ記憶部１８に記憶される。
また、婦人体温計１０の体温計側入力装置１３で入力された図１０の生理初日等の体調データ（メモ）は、その入力時間と関連付けられて、時間情報付き利用者身体情報である例えば、入力時間付き体調データとして、図２の体温計側各種データ記憶部１８に記憶される。
このように、図１の婦人体温計１０に体温計側各種データ記憶部１８に記憶された検温時間付き体温データや入力時間付き体調データは、図１の管理装置４０へ送信され、管理装置４０では、これら検温時間付き体温データや入力時間付き体調データを入力元情報である婦人体温計１０の識別情報とも関連付け入力元情報及び検温時間付き体温データや入力元情報及び入力時間付き体調データとして、共に図３の基礎体温等表示画面及び入力情報記憶部４６に記憶する構成となっている。
【００３６】
このようなデータが管理装置４０の基礎体温等表示画面及び入力情報記憶部４６に記憶される構成となっているため、ＳＴ５で、管理装置４０は、基礎体温等表示画面及び入力情報記憶部４６を参照し、当該婦人体温計１０を入力元情報とする入力元情報及び検温時間付き体温データや入力元情報及び入力時間付き体調データが記憶されているか否かを判断する。
具体的には、図４の体温計入力元データ有無判断処理部（プログラム）５３が動作して判断する。
【００３７】
ＳＴ５で、基礎体温等表示画面及び入力情報記憶部４６に当該婦人体温計１０の識別番号である入力元情報及び検温時間付き体温データや同様の入力元情報及び入力時間付き体調データがあると判断されたときは、ＳＴ６へ進む。
ＳＴ６では、これら体温データや体調データの検温時間や入力時間を参照し、最新取得時間情報である例えば、最新の検温時間や入力時間を取得する。
そして、管理装置４０は、その当該婦人体温計１０に、その有する検温時間付き体温データや入力時間付き体調データを管理装置４０へ送信するように要求する送信要求情報である例えば、送信要求信号を、管理装置側送信装置４４を用いて送信する際に、当該最新の検温時間や入力時間を併せて送信する。
具体的には、図４の最新日付データ付きデータ要求信号生成処理部（プログラム）５４が動作して処理する。
【００３８】
一方、ＳＴ５で、当該婦人体温計１０の識別番号である入力元情報及び検温時間付き体温データや同様の入力元情報及び入力時間付き体調データがないと判断されたときはＳＴ７へ進む。
ＳＴ７では、基礎体温等表示画面及び入力情報記憶部４６に、他の婦人体温計１０の識別番号である入力元情報及び検温時間付き体温データや同様の入力元情報及び入力時間付き体調データがあるか否かを判断し、存在する場合は、ＳＴ８へ進む。
ＳＴ８では、これら体温データや体調データの検温時間や入力時間を参照し、最新の検温時間や入力時間を取得する。
そして、管理装置４０は、その婦人体温計１０に、送信要求信号を送信する際に、当該最新の検温時間や入力時間を併せて送信する。
これにより、例えば、利用者が使用していた婦人体温計１０を途中から変更した場合でも、管理装置４０は、当該利用者のデータを継続して管理することができる。
【００３９】
次いで、ＳＴ９へ進む。ＳＴ９では、ＳＴ６又はＳＴ８の「送信要求信号」を受信した婦人体温計１０は、図２の体温計側各種データ記憶部１８内に、この送信要求信号と共に受信した「当該最新の検温時間や入力時間」に対応するデータが記憶されているか否かを判断する。
すなわち、婦人体温計１０は、以前に管理装置４０に送信した検温時間付き体温データ等のうち最新日付のデータを消去等することなく記憶されているか否かを判断する。
本実施の形態の婦人体温計１０の体温計側各種データ記憶部１８内のデータは、利用者の体温計側入力装置１３の操作で、その記憶を消去等することが可能な構成となっている。これは、利用者がデータを過誤入力等した場合に備える構成である。
これらの動作は、具体的には、図２の要求日付データ有無判断処理部（プログラム）１９が判断する。
【００４０】
ＳＴ９で、管理装置４０から送信要求信号と共に受信した「当該最新の検温時間や入力時間」に対応するデータが婦人体温計１０の体温計側各種データ記憶部１８に記憶されていると判断された場合は、ＳＴ１０へ進む。
ＳＴ１０では、婦人体温計１０が、その体温計側各種データ記憶部１８内に記憶されている検温時間付き体温データや入力時間付き体調データのうち、「当該最新の検温時間や入力時間」より未来（新しい）の時間データを有する体温データや体調データを抽出し、当該未来の検温時間付き体温データや入力時間付き体調データのみを管理装置４０へ送信する。
これらの動作は、具体的には、図２の要求日付以降データ抽出送信処理部（プログラム）２０が処理する。
【００４１】
このように処理することで、婦人体温計１０は、自己が記憶する全ての検温時間付き体温データ等を管理装置４０へ送信する必要がないので、婦人体温計１０と管理装置４０間の通信量を低減することができる。
また、婦人体温計１０は、管理装置４０から受信した「当該最新の検温時間や入力時間」に基づいて処理すれば足りるので、複雑な構成とすることなく、簡易な構成とすることができ、システム全体のコスト増を招くことを未然に回避することができる。
【００４２】
次いで、ＳＴ１１へ進む。ＳＴ１１では、管理装置４０が、婦人体温計１０からＳＴ１０で受信した検温時間付き体温データや入力時間付き体調データを入力元データである当該婦人体温計１０の識別番号と関連付けて、図３の基礎体温等表示画面及び入力情報記憶部４６に記憶させる。
これらの動作は、具体的には、図４の体温データ等入力処理部（プログラム）５５が処理する。
【００４３】
これにより、管理装置４０は、当該婦人体温計１０から最新の検温時間付き体温データや入力時間付き体調データを取得することができ、利用者の求めに応じて、管理装置側ディスプレイ４１の基礎体温等表示画面に、体温データや体調データを表示することができる。
【００４４】
一方、ＳＴ９で、管理装置４０から送信要求信号と共に受信した「当該最新の検温時間や入力時間」に対応するデータが婦人体温計１０の体温計側各種データ記憶部１８に記憶されていないと判断された場合は、ＳＴ１２へ進む。
ＳＴ１２では、婦人体温計１０は、不可情報である例えば、エラー信号を管理装置４０へ送信する。
具体的には、図２のエラー信号送信処理部（プログラム）２１が動作して処理する。
【００４５】
次いで、ＳＴ１３へ進む。ＳＴ１２で、婦人体温計１０からエラー信号を受信した管理装置４０は、婦人体温計１０に、全情報送信要求情報である例えば、全データ送信要求信号を送信する。
具体的には、図４の全データ送信要求信号送信処理部（プログラム）５６が動作し，処理する。
【００４６】
この信号は、婦人体温計１０の体温計側各種データ記憶部１８が記憶している全ての検温時間付き体温データや入力時間付き体調データを管理装置４０へ送信することを求めるものである。これにより、婦人体温計１０側では、データの取捨選択をすることなく、記憶されているデータを全て送信させることができるので、婦人体温計１０側の処理に負担がかからず、婦人体温計１０側の構成と簡易にでき、これにより、システム全体のコストを低減させることができる。
【００４７】
ＳＴ１３で、全データ送信要求信号を受信した婦人体温計１０は、ＳＴ１４へ進む。ＳＴ１４では、婦人体温計１０は、体温計側各種データ記憶部１８内に記憶されている全ての検温時間付き体温データや入力時間付き体調データを管理装置４０へ送信する。
具体的には、図２の全データ送信処理部（プログラム）２２が動作し処理する。
【００４８】
次いで、ＳＴ１５へ進む。ＳＴ１５では、管理装置４０が、ＳＴ１４で婦人体温計１０から受信した全データのうち、最新の検温時間付き体温データや入力時間付き体調データの日付以前（過去）の検温時間付き体温データや入力時間付き体調データを削除して、図３の基礎体温等表示画面及び入力情報記憶部４６に、入力元データである当該婦人体温計１０の識別番号と関連付けて登録する。
【００４９】
これにより、管理装置４０は、既に基礎体温等表示画面及び入力情報記憶部４６に登録されている検温時間付き体温データや入力時間付き体調データを重複して登録することなく、最新の検温時間付き体温データや入力時間付き体調データのみを基礎体温等表示画面及び入力情報記憶部４６に記憶することができる。
具体的には、図４の最新日付超最新データ生成処理部（プログラム）５７が動作して処理する。
また、利用者が、管理装置４０を起動したときは、これらのデータを管理装置側ディスプレイ４１の図１０の基礎体温等表示画面に表示する。
【００５０】
上述のように、婦人体温計１０の体温計側各種データ記憶部１８に記憶されているデータは、利用者が体温計側入力装置１３を操作することで削除等することができる構成となっている。
このため、婦人体温計１０は、以前に管理装置４０へ送信した検温時間付き体温データや入力時間付き体調データ等を削除することがあり、偶然、「当該最新の検温時間や入力時間」に対応するデータが削除されている場合がある。
【００５１】
この場合、それ以降の未来のデータは、体温計側各種データ記憶部１８に記憶されている場合があるが、かかる場合における未来のデータの抽出処理を婦人体温計１０側で処理する構成とすると、婦人体温計１０がサーチする必要が生じ、これでは婦人体温計１０の構成が複雑となり、全体のシステムがコスト増となるおそれがある。
そこで、本実施の形態では、管理装置４０から送信要求信号と共に受信した「当該最新の検温時間や入力時間」に対応するデータが婦人体温計１０の体温計側各種データ記憶部１８に記憶されていない判断された場合、婦人体温計１０は、エラー信号を送信することし、その後の処理を管理装置４０側に委ねることで、システム全体のコスト増を回避する構成となっている。
【００５２】
次いで、ＳＴ１６では、管理装置４０が、婦人体温計１０から生理初日データ（体調メモ）を４回以上受信したか否かを判断する。具体的には、図４の生理初日入力回数判断処理部（プログラム）５８が、図３の基礎体温等表示画面及び入力情報記憶部４６を参照して判断する。
【００５３】
ＳＴ１６で、生理初日データを４回以上受信したと判断された場合は、ＳＴ１７へ進む。ＳＴ１７では、図４の生理周期及び排卵日演算処理部（プログラム）５９が動作して、３周期分の生理周期内の体温データを、図３の基礎体温等表示画面及び入力情報記憶部４６から取得し、次回生理初日及び次回排卵日を演算し、図３の次回生理初日及び排卵日記憶部４８に記憶する。
図１２は、３周期分のデータを示す概略説明図である。図１２を用いて、生理周期及び排卵日演算処理部（プログラム）５９の動作を具体的に説明する。
生理周期及び排卵日演算処理部（プログラム）５９は、図１２に示す、３生理周期の平均日数を演算し、直近の生理初日に付加し、当該付加された年月日を次回生理初日と予想し、図３の次回生理初日及び排卵日記憶部４８に記憶させる。
また、生理周期及び排卵日演算処理部（プログラム）５９は、図１２の２生理周期のうち高温相期間（ａ、ｂ、ｃ）を抽出し、これらの平均の高温相期間を演算し、平均の高温相期間を次回生理周期に当てはめ、その高温相期間の開始日の前日を次回排卵日として、図３の次回生理初日及び排卵日記憶部４８に記憶する。
【００５４】
したがって、生理周期及び排卵日演算処理部（プログラム）５９が、体調変化基準日生成部の一例であり、次回生理初日データ及び次回排卵日データは、体調変化基準日の一例である。
【００５５】
次いで、ＳＴ１８へ進む。ＳＴ１８では、管理装置４０は、図３の次回生理初日及び排卵日記憶部４８の次回生理初日及び次回排卵日のデータを参照して、管理装置側ディスプレイ４１に表示する図１０に示す基礎体温等表示画面に次回生理初日及び次回排卵日を表示する。具体的には、図１０に示すように、体温データ、体調データ、コメント及びイラストと共に表示される構成となっている。
このため、利用者は管理装置４０の管理装置側ディスプレイ４１を視認するだけで、これらのデータを一度の把握することができる。
【００５６】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００５７】
次いで、ＳＴ１９へ進む。ＳＴ１９では、利用者が婦人体温計１０に入力した入力生理初日データを管理装置４０が受信したか否かを判断する。
すなわち、実際に利用者の身体で生理が始まったときは、利用者は、図１の婦人体温計１０の体温計側入力装置１３を操作して、特定の日付に生理初日があったことを入力する。
すると、その生理初日があったという体調データは、上述のように、図２の体温計側各種データ記憶部１８に記憶されると共に、体温計側通信装置１７を介して、管理装置４０へ送信され、図３の基礎体温等表示画面及び入力情報記憶部４６に記憶される。
【００５８】
具体的には、図４の入力生理初日情報取得判断処理部（プログラム）６０が、利用者が婦人体温計１０に入力した入力生理初日データを管理装置４０が受信したか否かを判断する。
【００５９】
次いで、ＳＴ２０へ進む。ＳＴ２０では、管理装置４０が受信した入力生理初日データと、図３の次回生理初日及び排卵日記憶部４８の「次回生理初日」とが一致するか否かを判断する。具体的には、図４の生理初日情報判断処理部（プログラム）６１が判断する。
【００６０】
ＳＴ２０で、入力生理初日と次回生理初日とが一致しない場合は、ＳＴ２１へ進む。ＳＴ２１では、図４の直近生理初日情報生成処理部（プログラム）６２が動作して、ＳＴ２０の入力生理初日データを、直近生理初日データとして、図３の直近生理初日情報記憶部４９に記憶する。
【００６１】
次いで、ＳＴ２２へ進む。ＳＴ２２では、図４の生理周期及び排卵日演算処理部（プログラム）５９が動作し、直近生理初日情報記憶部４９に記憶されている「直近生理初日データ」を基準にその直前の生理周期を含む４周期分の生理周期内の体温データを、図３の基礎体温等表示画面及び入力情報記憶部４６から取得し、次回生理初日及び次回排卵日を演算し、図３の次回生理初日及び排卵部記憶部４８に記憶する。
すなわち、４生理周期の平均日数を、直近の生理初日データに付加することで、次回生理初日とする。また、４生理周期の各周期内の高温相期間を抽出し、それらの平均値を次回高温相期間とし、この次回高温相期間の開始日の前日を次回排卵日とする。
【００６２】
このように、実際の生理初日データを取得することができたときは、予想に基づく生理初日データではなく、実際の生理初日データに基づいて、その次の生理初日や排卵日を予測することができるので、次回生理初日及び次回排卵日の予測精度がより向上する。
【００６３】
一方、ＳＴ１９で入力生理初日データを受信しなかった場合や、ＳＴ２０で、入力生理初日と次回生理初日とが一致した場合は、ＳＴ２３へ進み、図３の直近生理初日情報記憶部４９が、次回生理初日及び排卵日記憶部４８の次回生理初日（予測日）を直近生理初日データとして、直近生理初日情報記憶部４９に記憶する。
【００６４】
次いで、ＳＴ２４へ進む。ＳＴ２４では、管理装置４０は、図３の次回生理初日及び排卵日記憶部４８の次回生理初日及び次回排卵日のデータを参照して、管理装置側ディスプレイ４１に表示する図１０に示す基礎体温等表示画面に次回生理初日及び次回排卵日を表示する。
これにより、最新の次回生理初日及び次回排卵日のデータを図１０の基礎体温等表示画面に表示することができる。
【００６５】
次いで、ＳＴ２５へ進む。ＳＴ２５では、利用者が管理装置４０を起動した日が直近生理初日情報記憶部４９の直近生理初日である場合は、図４のキャラクタ及びコメント選択処理部（プログラム）５２が、図１１のキャラクタ及びコメントデータ４７ａを参照して、表示条件「生理予定日当日」に対応するコメント「今日から生理がはじまるよ！ナプキンを忘れずに！」及び対応するキャラクタ番号３のイラスト（Ｃパターン）が、図１０の「コメント」及び「イラスト」の部分に表示される。
【００６６】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００６７】
次いで、ＳＴ２６へ進む。ＳＴ２６では、図４のキャラクタ及びコメント選択処理部（プログラム）５２が動作して、図１の管理装置側計時装置４５を参照し、当該日付が直近生理初日記憶部４９の直近生理初日から３日後以内か否かを判断する。
【００６８】
ＳＴ２６で、直近生理初日から３日後以内と判断された場合は、ＳＴ２７へ進む。ＳＴ２７では、図４のキャラクタ及びコメント選択処理部（プログラム）５２が、図１１のキャラクタ及びコメントデータ４７ａを参照して、表示条件「直近生理日から３日後以内」に対応するコメント「おなかがイタイ〜！腰がイタイ〜！生理ってツライよね・・」及び対応するキャラクタ番号４のイラスト（Ｄパターン）が、図１０の「コメント」及び「イラスト」の部分に表示される。
【００６９】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００７０】
次いで、ＳＴ２６へ進む。ＳＴ２６では、図４のキャラクタ及びコメント選択処理部（プログラム）５２が動作して、図１の管理装置側計時装置４５を参照し、当該日付が直近生理初日記憶部４９の直近生理初日から４日又は５日後か否かを判断する。
【００７１】
ＳＴ２８で、直近生理初日から４日又は５日後と判断された場合は、ＳＴ２９へ進む。ＳＴ２９では、図４のキャラクタ及びコメント選択処理部（プログラム）５２が、図１１のキャラクタ及びコメントデータ４７ａを参照して、表示条件「直近生理日から４日又は５日後」に対応するコメント「もう少しで生理終了だね。がんばって！」及び対応するキャラクタ番号５のイラスト（Ｅパターン）が、図１０の「コメント」及び「イラスト」の部分に表示される。
【００７２】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００７３】
次いで、ＳＴ３０へ進む。ＳＴ３０では、図４のキャラクタ及びコメント選択処理部（プログラム）５２が動作して、図１の管理装置側計時装置４５を参照し、当該日付が次回生理初日及び排卵日記憶部４８の次回排卵日（排卵予測日）から４日前か否かを判断する。
【００７４】
ＳＴ３０で、次回排卵日（排卵予測日）から４日前と判断された場合は、ＳＴ３１へ進む。ＳＴ３１では、図４のキャラクタ及びコメント選択処理部（プログラム）５２が、図１１のキャラクタ及びコメントデータ４７ａ及び次回生理初日及び排卵日記憶部４８を参照して、表示条件「次回排卵予測日の４日前」に対応するコメント「そろそろ排卵予定日。次の排卵予定日は○月○日頃よ！」（予定日は、次回生理初日及び排卵日記憶部４８の次回排卵日を表示）及び対応するキャラクタ番号６のイラスト（Ｆパターン）が、図１０の「コメント」及び「イラスト」の部分に表示される。
【００７５】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００７６】
次いで、ＳＴ３２へ進む。ＳＴ３２では、図４のキャラクタ及びコメント選択処理部（プログラム）５２が動作して、図１の管理装置側計時装置４５を参照し、当該日付が次回生理初日及び排卵日記憶部４８の次回排卵日（排卵予測日）の３日前から２日後の間か否かを判断する。
【００７７】
ＳＴ３２で、次回排卵日（排卵予測日）の３日前から２日後の間と判断された場合は、ＳＴ３３へ進む。ＳＴ３３では、図４のキャラクタ及びコメント選択処理部（プログラム）５２が図１１のキャラクタ及びコメントデータ４７ａを参照して、表示条件「次回排卵予測日の３日前から２日後の間」に対応するコメント「今は排卵期。妊娠の可能性がいちばん高い時期よ！」及び対応するキャラクタ番号７のイラスト（Ｇパターン）が、図１０の「コメント」及び「イラスト」の部分に表示される。
【００７８】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００７９】
次いで、ＳＴ３４へ進む。ＳＴ３４では、図４のキャラクタ及びコメント選択処理部（プログラム）５２が動作して、図１の管理装置側計時装置４５を参照し、当該日付が図３の直近生理初日記憶部４９の直近生理初日から６日〜１４日後か否かを判断する。
【００８０】
ＳＴ３４で、直近生理初日から６日〜１４日後と判断された場合は、ＳＴ３５へ進む。ＳＴ３５では、図４のキャラクタ及びコメント選択処理部（プログラム）５２が、図１１のキャラクタ及びコメントデータ４７ａを参照して、表示条件「直近生理日から６日〜１４日後」に対応する３つのコメントの一つ又は２つ以上を選択し、それに対応するキャラクタ番号とイラストが、図１０の「コメント」及び「イラスト」の部分に表示される。
【００８１】
次いで、上述のＳＴ５乃至ＳＴ１５の処理が実行される。
このため、利用者が、管理装置４０を起動したときは、基礎体温等表示画面及び入力情報記憶部４６に記憶されている体温データ等が管理装置側ディスプレイ４１の図１０の基礎体温等表示画面に表示される。
【００８２】
以上のように，本実施の形態では、婦人体温計１０から取得した利用者の基礎体温等の体温データ及び生理初日があったこと等の体調情報が、管理装置４０の管理装置側ディスプレイ４１に基礎体温等表示画面に表示されるだけでなく、これら婦人体温計１０から取得した体温データ及び生理や発熱等かあったこと等の体調情報に基づいて予測される次回生理初日や次回排卵日の予測日も、基礎体温等表示画面に併せて表示される。
このため、利用者は、基礎体温等表示画面を視認するだけで、自己の体温データ、体調情報、次回生理初日及び次回排卵日を把握できるので、自己の体調管理をし易い構成となっている。
【００８３】
また、本実施の形態では、図１１に示すように、「生理予定日当日」や「直近生理初日から３日後以内」等の体調の変化を、それぞれの体調変化の種類によって複数の体調変化区分情報に区分し、これら体調変化区分情報に対応した各別のコメント情報及び各別のイラスト情報と関連付けて記憶すると共に、体調変化区分情報の対応する日及び／又は期間の表示条件とも関連付けて、キャラクタ及びコメントデータ記憶部４７に記憶している。
【００８４】
そして、これら体調変化区分情報に対応した各別のコメント情報及び各別のイラスト情報を対応する表示条件で、基礎体温等表示画面に体温データ、体調情報及び次回生理初日や次回排卵日の予測日と共に表示する構成となっている。
このため、利用者は、例えば、生理初日等の体調変化日と、生理初日から６日〜１４日目等の他の体調変化の期間では、基礎体温等表示画面を視認したときに、異なるコメント及びイラストが表示されると共に、利用者の当該体調に合致した最適なコメント及びイラストが表示される構成となっている。
【００８５】
したがって、利用者が婦人体温計１０によって継続して体温測定をし続けると、その状態に合った異なるコメントやイラストを視認することができ、体温測定の継続が促されることになる。
また、利用者による体温測定の継続により、利用者の次回生理日や次回排卵日等も予測し易くなる。
【００８６】
本実施の形態では、実際の生理初日が、生理初日予測情報と一致しないときは、生理周期及び排卵日演算処理部（プログラム）５９は、入力された生理初日情報に基づいて、次回の生理初日予測情報を生成する構成となっている。
このため、次回の生理初日の予測情報の精度を向上させることができる。
【００８７】
また、本実施の形態では、婦人体温計１０に入力された利用者の体温データ及び生理初日等の体調情報は、自動的に管理装置４０に送信されるので、管理装置４０は、情報を迅速に取得し管理することができる。
【００８８】
本発明は、上述の各実施の形態に限定されない。
【符号の説明】
【００８９】
１・・・婦人体温管理システム１、１０・・・婦人体温計、１１・・・測温部、１２・・・体温計側ディスプレイ、１３・・・体温計側入力装置、１４・・・体温計側制御部、１５・・・体温計側装置本体、１６・・・体温計側通信装置、１７・・・体温計側計時装置、１８・・・体温計側各種データ記憶部、１９・・・要求日付データ有無判断処理部（プログラム）、２０・・・要求日付以降データ抽出送信処理部（プログラム）、２１・・・エラー信号送信処理部（プログラム）、２２・・・全データ送信処理部（プログラム）、４０・・・管理装置、４１・・・管理装置側ディスプレイ、４２・・・管理装置側入力装置、４３・・・管理装置側制御部、４４・・・管理装置側通信装置、４５・・・管理装置側計時装置、４６・・・基礎体温等表示画面及び入力情報記憶部、４７・・・キャラクタ及びコメントデータ記憶部、４７ａ・・・キャラクタ及びコメントデータ、４８・・・次回生理初日及び排卵日記憶部、４９・・・直近生理初日情報記憶部、５０・・・各種処理部（プログラム）記憶部、５１・・・アクセス履歴判断処理部（プログラム）、５２・・・キャラクタ及びコメント選択処理部（プログラム）、５３・・・体温計入力元データ有無判断処理部（プログラム）、５４・・・最新日付データ付きデータ要求信号生成処理部（プログラム）、５５・・・体温データ等入力処理部（プログラム）、５６・・・全データ送信要求信号送信処理部（プログラム）、５７・・・最新日付超最新データ生成処理部（プログラム）、５８・・・生理初日入力回数判断処理部（プログラム）、５９・・・生理周期及び排卵日演算処理部（プログラム）、６０・・・入力生理初日情報取得判断処理部（プログラム）、６１・・・生理初日情報判断処理部（プログラム）、６２・・・直近生理初日情報生成処理部（プログラム）
【図１】
0005797053.tif 000002
【図２】
0005797053.tif 000003
【図３】
0005797053.tif 000004
【図４】
0005797053.tif 000005
【図５】
0005797053.tif 000006
【図６】
0005797053.tif 000007
【図７】
0005797053.tif 000008
【図８】
0005797053.tif 000009
【図９】
0005797053.tif 000010
【図１０】
0005797053.tif 000011
【図１１】
0005797053.tif 000012
【図１２】
0005797053.tif 000013